(57)【要約】【課題】  ユーザは、用件に記載されている電話番号を記憶し電話番号を入力して相手に電話をかけるという操作が必要になるため、その手順は煩雑なものとなっていた。【解決手段】  その用件に関する日時情報を含む用件情報を入力して不揮発ＲＡＭ１０２に登録しておき、その用件情報の日時情報が、タイマ１１１による計時情報と一致すると、その用件情報を表示部１０５に表示する。この表示部１０５に表示された用件情報に電話番号が含まれている場合、当該電話番号を選択して発呼するように指示されると、その電話番号に発呼する。【選択図】  図１
2005079840.tif 000002
【特許請求の範囲】
【請求項１】
少なくとも用件に関する日時情報を含む用件情報を登録する登録手段と、
日時を計時する計時手段と、
前記登録手段に登録されている前記用件情報に含まれる日時情報と前記計時手段により計時された前記日時とに基づいて前記登録手段に登録されている用件情報を抽出する用件抽出手段と、
前記用件抽出手段によって抽出された前記用件情報を表示する表示手段と、
前記表示手段によって表示された前記用件情報に電話番号が含まれている場合、当該電話番号を選択して発呼するための発呼手段と、
を有することを特徴とする通信端末装置。
【請求項２】
前記発呼手段により発呼した際に相手先の応答の有無を判断する判断手段と、
前記判断手段により応答無しと判断した場合に、対応する用件情報を前記表示手段により表示させて前記用件情報を再登録するように制御する再入力制御手段とを有することを特徴とする請求項１に記載の通信端末装置。
【請求項３】
前記日時情報は、該当する用件が発生する日時、及び前記用件情報をユーザに通知する日時を含むことを特徴とする請求項１及び２に記載の通信端末装置。
【請求項４】
電話機能を有する通信端末装置における制御方法であって、
少なくとも用件に関する日時情報を含む用件情報を入力して登録する登録工程と、
日時を計時する計時工程と、
前記登録工程で登録されている前記用件情報に含まれる日時情報と前記計時工程で計時された前記日時とに基づいて、登録されている用件情報を抽出する用件抽出工程と、
前記用件抽出工程で抽出された前記用件情報を表示する表示工程と、
前記表示工程で表示された前記用件情報に電話番号が含まれている場合、当該電話番号を選択して発呼するための発呼工程と、
を有することを特徴とする通信端末装置における制御方法。
【請求項５】
前記発呼工程で発呼した際に相手先の応答の有無を判断する判断工程と、
前記判断工程で応答無しと判断した場合に、対応する用件情報を表示して前記用件情報を再登録するように制御する再入力制御工程とを有することを特徴とする請求項４に記載の通信端末装置における制御方法。
【請求項６】
前記日時情報は、該当する用件が発生する日時、及び前記用件情報をユーザに通知する日時を含むことを特徴とする請求項４又は５に記載の通信端末装置における制御方法。
【請求項７】
請求項４乃至６のいずれか１項に記載の制御方法を実行することを特徴とするプログラム。
【発明の詳細な説明】
【技術分野】
【０００１】
本発明は、用件情報を登録してスケジュール管理を行うことができる通信端末装置及びその制御方法に関するものである。
【背景技術】
【０００２】
近年、電話機はその操作性や利便性が求められるにつれて、様々な機能の充実が図られている。そのような機能の一つとして、例えば、個人のスケジュールを管理するスケジュール管理機能が挙げられる。このようなスケジュール管理機能が電話機に設けられることにより、電話機のユーザは、スケジュールが決まった時点でそのスケジュールを電話機に登録したり、或いは変更することができる。そして、そのスケジュールを、電話機の操作部の表示部に表示することによってスケジュールを確認することができる。また従来のリマインダ機能付のスケジュール管理を行う電話機では、ユーザが電話機に登録したスケジュールに従って、設定されている時間になるとアラームを鳴らしたり、表示部に用件を表示したりするように構成されていた。
【特許文献１】特開２００１−３０６６１６
【発明の開示】
【発明が解決しようとする課題】
【０００３】
しかし、上記のような従来の電話機では、その用件が、ある相手に電話をかける可能性がある用件である場合は、その用件の中に電話番号を識別するための情報を記載しておくことになる。この場合、その設定された時間になって、ユーザにその用件が報知された場合、そのユーザは、その用件に従って電話をするためには、その用件に記載されている電話番号を記憶し、その電話番号を入力して相手に電話をかけるという操作が必要になるため、その手順は煩雑なものとなっていた。
【０００４】
また、ユーザが用件を入力し、その後、ユーザにその用件が通知されるまでに、その用件の内容を変更したい場合がある。このような場合、そのユーザは、その通知されたリマインダを確認した後に、スケジュール機能を起動して用件を再設定しなければならない。このため、その手順は煩雑なものとなってしまっていた。
【０００５】
更に、通知された電話番号を参照してユーザが電話をかけた際に、その相手が留守で電話に出ない場合がある。このような場合、そのユーザは再度用件の内容を変更し、所望の時間にその用件を通知するようにしたいと考えられる。このような場合は、ユーザはスケジュール機能を起動して用件を再設定しなければならなく、その手順は煩雑なものとなってしまっていた。
【課題を解決するための手段】
【０００６】
上記目的を達成するために本発明の通信端末装置は以下のような構成を備える。即ち、  少なくとも用件に関する日時情報を含む用件情報を登録する登録手段と、
日時を計時する計時手段と、
前記登録手段に登録されている前記用件情報に含まれる日時情報と前記計時手段により計時された前記日時とに基づいて前記登録手段に登録されている用件情報を抽出する用件抽出手段と、
前記用件抽出手段によって抽出された前記用件情報を表示する表示手段と、
前記表示手段によって表示された前記用件情報に電話番号が含まれている場合、当該電話番号を選択して発呼するための発呼手段とを有することを特徴とする。
【０００７】
上記目的を達成するために本発明の通信端末装置における制御方法は以下のような工程を備える。即ち、
電話機能を有する通信端末装置における制御方法であって、
少なくとも用件に関する日時情報を含む用件情報を入力して登録する登録工程と、
日時を計時する計時工程と、
前記登録工程で登録されている前記用件情報に含まれる日時情報と前記計時工程で計時された前記日時とに基づいて、登録されている用件情報を抽出する用件抽出工程と、
前記用件抽出工程で抽出された前記用件情報を表示する表示工程と、
前記表示工程で表示された前記用件情報に電話番号が含まれている場合、当該電話番号を選択して発呼するための発呼工程とを有することを特徴とする。
【発明の効果】
【０００８】
本願発明によれば、用件情報に電話番号が含まれていると、その用件情報で指定されて日時になると自動的にその電話番号で発呼することができる。
【０００９】
又、その発呼に対して応答がない場合は、その用件情報を表示して変更可能とし、その変更された用件情報を再登録できる。
【発明を実施するための最良の形態】
【００１０】
以下、添付図面を参照して本発明の好適な実施例を詳しく説明する。
【実施例】
【００１１】
この実施例では、スケジューラ機能付電話機の場合で説明するが、本発明はこのような電話機に限定されるものではないことはもちろんである。
【００１２】
図１は、本発明の実施例に係るスケジューラ機能付電話機の構成図である。但し、この実施例に記載されている構成要素の相対配置、表示画面等は、特に特定的な記載がない限りは、この発明の範囲をそれらのみに限定する趣旨のものではない。
【００１３】
図１において、１００は装置全体を制御するための中央演算処理部（ＣＰＵ）であり、１０１はＣＰＵ１００で実行されるプログラム及びデータを記憶するＲＯＭ、１０２はユーザが登録したスケジューラの用件、個人データ、電話帳などのバックアップ用のデータを格納する不揮発性ＲＡＭである。１０３はＣＰＵ用のワークデータ、表示用データなどを記憶する記憶部（ＤＲＡＭ）である。１０４は設定日時管理部で、現在の日時情報の管理、用件データの通知日時に基づいて、スケジューラ用件を通知する時間になったかどうかの判定などを行う。１０５は表示部で、スケジューラの入力画面、リマインダによる通知、この電話機の状態などをカラーで表示する。１０６は操作部で、テンキーや各種スイッチなどを含む。１０８は通信部で、回線１０９と接続されて外部と通信するためのモデムなどを含んでおり、例えば、電話番号の発信を行う。１１１はタイマで日時情報を計時する。ここれら各部はシステムバス１１０で相互に接続されている。
【００１４】
図２は、本実施例に係る表示部１０５の構成を示すブロック図である。
【００１５】
この表示部１０５は、表示データを記憶するＶＲＡＭ２００と、ＶＲＡＭ２００の内容をドットマトリクスＬＣＤ２０２に出力させるためのＬＣＤドライバ２０１と、液晶の表示ユニット２０２とを含んでいる。
【００１６】
図３は、本実施例に係る記憶部（ＤＲＡＭ）１０３のメモリマップを示す図である。
【００１７】
このＤＲＡＭ１０３は、ＣＰＵ１００のワークとして使われるＣＰＵワークエリア３０１、表示部１０５に表示するための表示用データを記憶する表示用データ格納エリア３０２、及びその他のデータを記憶するその他のデータ格納エリア３０３を備えている。
【００１８】
図４（Ａ）〜（Ｃ）は、本実施例に係る不揮発性ＲＡＭ１０２のメモリマップを示す図である。
【００１９】
図４（Ａ）において、不揮発ＲＡＭ１０２は、用件データ格納エリア４０１、その他のデータを記憶するその他のデータ格納エリア４０２を備えている。
【００２０】
図４（Ｂ）は、用件データ格納エリア４０１のデータ構成を示す図で、ここでは用件データ１から用件データ１００まで合計１００件のスケジューラの用件データ格納エリア４１０が設けられている。
【００２１】
図４（Ｃ）は、この各用件データ４１０のデータ構成を示す図である。
【００２２】
図において、４１１は用件の日時を表す用件日時、４１２は用件名を表す用件名、４１３は、その用件に関連する電話番号を識別するための情報である電話番号、４１４は当用件をリマインダとしてユーザに通知するための日時である通知日時、４１５はどのようなリマインダで通知するかその種類を指定する情報である通知手段を指定する。４１６は通知終了フラグ３０８で、当用件がまだ通知されていないときはＦＡＬＳＥ（偽）に、既に通知済みの用件の場合にはＴＲＵＥ（真）に設定される。
【００２３】
図５は、本実施例に係る電話機の操作部１０６の外観図である。
【００２４】
液晶表示部（ＬＣＤ）２０２、電話番号などを入力するためのテンキー５０２、機能設定などに用いる登録キー５０３、マルチな入力に用いる４つのファンクションキー５０４、及び設定入力キーであるセットキー５０５と、表示部のカーソル移動などに用いる左右上下方向キー５０６を含んでいる。尚、図１における表示部１０５は、この操作部１０６の液晶表示部２０２で代用しても良く、これとは別に表示部１０５として設けられていても良い。又後述の図６〜図８に示す画面表示は、表示部１０５或はＬＣＤ２０２のいずれに表示されても良い。
【００２５】
図６は、本実施例に係る電話機のスケジューラ機能を用いて、ユーザが予定している用件を登録するための画面表示例（用件登録画面）を示す図である。
【００２６】
この用件登録画面６０１は、その用件の実行予定日を入力するための用件日時入力項６１０、その用件の用件名を入力するための用件名入力項６１１、その用件に関連する電話番号を入力するための電話番号入力項６１２、その用件の通知日時（リマインダの発行日時）を入力するための通知日時入力項６１３、及びこの表示されている用件情報を確定して登録するための電子ボタンである「登録」ボタン６１４を含んでいる。
【００２７】
図７（Ａ），（Ｂ）は、ユーザがある用件を入力した後、通知日時入力項６１３に入力された通知日時になったときに、自動的に表示部１０５に表示されるリマインダの一例を示す図である。
【００２８】
その用件において、電話番号入力項６１２で電話番号が設定されていた場合は、図７（Ａ）に示すリマインダＡを用いてユーザに通知する。このリマインダＡは、登録時の用件日時入力項６１０に対応する用件日時を示す用件日時表示項６２０、用件名入力項６１１に対応する用件名を表す用件名表示項６２１、及び電話番号入力項６１２に対応する電話番号を表す電話番号表示項６２２を含んでいる。そして「再設定」ボタン６２３は、用件日時６２０，用件名６２１，電話番号６２２に表示された各項目を再設定する場合に用いる電子ボタンである。又「電話をかける」ボタン６２４は、電話番号６２２に表示された電話番号に電話を発信する場合に用いる電子ボタンである。また「終了」ボタン６２５は、再設定或は電話をかけることなく、このままリマインダ表示を終了させるためのボタンである。
【００２９】
一方、その用件において、電話番号入力項６１２で電話番号が設定されていない場合は、図７（Ｂ）に示すリマインダＢを用いてユーザに通知する。
【００３０】
このリマインダＢは、登録時の用件日時入力項６１０に対応する用件日時を示す用件日時表示項６４０、用件名入力項６１１に対応する用件名を表す用件名表示項６４１と、その用件を再設定する場合に用いる電子ボタンである「再設定」ボタン６４２を含んでおり、その機能は、図７（Ａ）の「再設定」ボタン６２３と同様である。また「終了」ボタン６４３は、再設定或は電話をかけることなく、このままリマインダ表示を終了させるためのボタンである。
【００３１】
図８は、既に登録されている用件の項目を再設定するための再設定画面例を示す図である。
【００３２】
この画面に遷移するケースは、図７（Ａ）（Ｂ）のリマインダ表示において、「再設定」ボタン６２３或は６４２が指示された場合、或は図７（Ａ）の「電話をかける」ボタン６２４の指示によって電話を発信した際に、相手が応答しなかった場合、ユーザに、その用件の事項を再設定するように促す場合に表示される。
【００３３】
図８の再設定画面は、その用件の予定日を入力するための用件日時入力項６３０、その用件の用件名を入力するための用件名入力項６３１、その用件に関連する電話番号を入力するための電話番号入力項６３２、その用件の通知時間を入力するための通知日時入力項６３３、再設定を確定するための電子ボタンである「再設定する」ボタン６３４、再設定をしないでリマインダ画面を終了させるための電子ボタンである「再設定しない」ボタン６３５を備えている。
【００３４】
図９は、本実施例に係る電話機において、スケジューラ機能を起動して用件を入力し、スケジューラ機能を終了するまでの処理を示すフローチャートである。尚、この処理を実行するプログラムはＲＯＭ１０１に記憶されており、ＣＰＵ１００の制御の下に実行される。
【００３５】
先ずステップＳ１で、操作部１０６の機能キーを押下してスケジューラ機能を起動するとステップＳ２に進み、図６に示すような用件登録画面６０１を表示部１０５に表示する。これによりユーザは、その用件登録用画面を用いて用件の日時、用件名、電話番号、通知日時等の情報を入力する。そしてステップＳ４に進み、「登録」ボタン６１４が指示されることによって、その登録用画面を使用して入力された用件を確定し、そのデータを不揮発性ＲＡＭ１０２に格納する。
【００３６】
この不揮発性ＲＡＭ１０２では、図４（Ｃ）に示すように、用件の日時、用件名、電話番号、通知日時は、それぞれ用件日時４１１、用件名４１２、用件電話番号４１３、通知日時４１４に格納される。尚、通知手段４１５には、用件を通知するための手段、例えば電話か、表示によるものだけか等を、用件電話番号に電話番号が設定されているかどうかに応じて記憶される。
【００３７】
図１０は、本実施例に係る電話機において、入力された用件を基に設定日時管理部１０４が通知すべき用件を監視し、通知すべき用件が存在する場合は、その用件の内容に応じたリマインダをユーザに通知し、ユーザの入力に応じて、その用件の再設定処理や電話を発信する処理を行う処理を示すフローチャートである。この処理を実行するプログラムはＲＯＭ１０１に記憶されており、ＣＰＵ１００の制御の基に実行される。
【００３８】
先ずステップＳ１１で、タイマ１１１により計時されている時間情報と、各用件データの用件日時４１１とに基づいて、設定日時管理部１０４により、現在の時間に通知すべき用件が存在するかを監視する。次にステップＳ１２で、現在の時間に、通知すべき用件が存在するかどうかを判定し、通知すべき用件が存在しない場合にはステップＳ１１に進んで前述の処理を実行する。
【００３９】
ここで通知すべき用件が存在する場合はステップＳ１３に進み、その通知すべきと判定された用件データに用件電話番号４１３が設定されているかを判定する。電話番号が設定されている場合はステップＳ１４に進み、図７（Ａ）に示すリマインダＡを表示部１０５に表示する。これによりユーザは、その用件の通知時間が到来したことを認識できる。ここでユーザが、用件の日時或は電話番号などの変更する必要があると判定したときは、対応する情報を入力して「再設定」ボタン６２３を指示することになる。又ユーザが、電話をかける必要があると判断すると、「電話をかける」ボタン６２４が指示されることになる。ステップＳ１５，Ｓ１６で、これらボタン６２３，６２４のいずれも指示（押下）されないときはステップＳ１７に進み、このリマインダＡ表示を終了させるために「終了」ボタン６２５が指示されたかをみる。「終了」ボタン６２５が指示されると、この処理を終了するが、そうでないときはステップＳ１４に戻り、リマインダＡ表示を続行する。
【００４０】
ユーザが用件データを変更して「再設定」ボタン６２３が指示されるとステップＳ２４に進み、その設定された内容を、不揮発ＲＡＭ１０２のその用件データの対応するエリアに格納する。
【００４１】
一方、ステップＳ１５で、「再設定」ボタン６２３が指示されないときはステップＳ１６に進み、「電話をかける」ボタン６２４が指示されたかどうかを判定する。「電話をかける」ボタン６２４が指示された場合はステップＳ１８に進み、その用件データの用件電話番号４１３に格納されている電話番号（６２２に相当）を使用し、通信部１０８により電話を発信する。次にステップＳ１９に進み、その電話の発信に対して相手側が応答したかを調べ、応答しないときはステップＳ２１に、応答したときはステップＳ２０に進む。ステップＳ２０では、電話による会話（用件の実行）が終了するのを待って回線を切断して処理を終了する。
【００４２】
一方、相手側が応答しないときはステップＳ２１で、図８に示す再設定画面を表示部１０５に表示する。これによりユーザに、その用件データを再設定するように促す。これは電話による応答がないため相手側への用件の通知が未完了となり、再度、その用件を相手先に伝える必要があると考えられるためである。これによりユーザは、その再設定画面を用いて、その用件を再通知してほしい場合には、その再設定画面の項目で再設定する必要がある事項（例えば通知日時等）を修正し、「再設定する」ボタン６３４を指示することになる。こうしてステップＳ２２では、「再設定する」ボタン６３４が指示されたかどうかを判定し、ボタン６３４が指示されたときはステップＳ２４に進み、再設定画面で設定された事項を不揮発ＲＡＭ１０２の対応するデータ領域（図４（Ｃ））に格納する。
【００４３】
一方ステップＳ２２で、「再設定する」ボタン６３４が指示されないときはステップＳ２３に進み、「再設定しない」ボタン６３５が指示されたかをみる。「再設定しない」ボタン６３５が指示されると、不揮発ＲＡＭ１０２の用件データを変更することなく、この処理を終了するが、そうでないときはステップＳ２１に戻り、再設定画面の表示を継続する。
【００４４】
また前述のステップＳ１３で、その用件データに電話番号が設定されていないときはステップＳ２５に進み、図７（Ｂ）に示すリマインダＢの画面を表示部１０５に表示する。そして、ユーザが、このリマインダＢの画面により用件の通知時間が到来したことを認識し、その内容を変更して再設定が必要であれば「再設定」ボタン６４２が指示されることになる。よってステップＳ２６で、「再設定」ボタン６４２が指示されたと判定するとステップＳ２７に進み、前述のステップＳ２４と同様に、再設定された用件データを不揮発性ＲＡＭ１０２所定のエリアに格納して、この処理を終了する。
【００４５】
またステップＳ２６で、「再設定」ボタン６４２が指示されないときはステップＳ２８に進み、「終了」ボタン６４３が指示されたかどうかをみる。「終了」ボタン６４３が指示された時はステップＳ２５に進み、前述のリマインダＢの表示を継続するが、「終了」ボタン６４３が指示されると、この処理を終了する。
【００４６】
以上に説明したように本実施例によれば、ユーザがスケジュールデータとして用件データを登録する際、その用件に関連した電話番号を識別するための情報を入力可能とし、その用件データに登録された通知日時になると、その登録内容がリマインダとしてユーザに通知される。これによりユーザは、そのリマインダ表示に基づくユーザ操作によって直接相手先に電話をかけることができる。これにより従来のように、通知されたリマインダの内容をユーザが記憶し、その記憶に基づいて電話番号を入力することによって電話を発信するといった煩わしい手間を省略することができる。
【００４７】
また、リマインダ表示がされた際に、そのリマインダ表示に基づいて、直接用件を再設定できるので、例えばリマインダ表示を見て、ユーザが後で再度通知してほしいと思った場合などには、わざわざスケジューラ機能を立ち上げて用件データを再設定するというような煩わしい処理を省略することができる。
【００４８】
更に、リマインダ表示に基づいてユーザ操作によって直接電話をかけた際、相手が電話に出なかったときに、そのリマインダから用件データを再設定できる。これにより例えば、相手が電話に応答しなかったため、数時間後に、再度電話を発信したい場合など、わざわざスケジューラ機能を立ち上げて用件データを再設定するというような煩わしい手間を省略することができる。
【００４９】
［他の実施例］
以上実施例を詳述したが、本発明は、複数の機器から構成されるシステムに適用しても良いし、また、一つの機器からなる装置に適用しても良い。
【００５０】
尚、本発明は、前述した実施例の機能を実現するソフトウェアのプログラムをシステム或いは装置に直接或いは遠隔から供給し、そのシステム或いは装置のコンピュータが、その供給されたプログラムコードを読み出して実行することによっても達成される場合を含む。その場合、プログラムの機能を有していれば、その形態はプログラムである必要はない。
【００５１】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００５２】
その場合、プログラムの機能を有していれば、オブジェクトコード、インタプリタにより実行されるプログラム、ＯＳに供給するスクリプトデータ等、プログラムの形態を問わない。
【００５３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも、本発明のクレームに含まれるものである。
【００５５】
また、本発明のプログラムを暗号化してＣＤ−ＲＯＭ等の記憶媒体に格納してユーザに配布し、所定の条件を満足するユーザに対しインターネットを介してホームページから暗号化を解く鍵情報をダウンロードさせ、その鍵情報を使用することにより暗号化されたプログラムを実行してコンピュータにインストールさせて実現することも可能である。
【００５６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５７】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００５８】
尚、本実施例では電話機の場合で説明したが本発明はこれに限定されず、例えばモバイル機器のように通信機能を有している携帯端末であっても、或はモデムや無線通信機能を有する情報処理機器であってもよい。
【図面の簡単な説明】
【００５９】
【図１】本発明の実施例に係る電話機の構成を示すブロック図である。
【図２】本実施例の電話機の表示部の構成を示すブロック図である。
【図３】本実施例に係る電話機の記憶部（ＤＲＡＭ）のメモリマップを示す図である。
【図４】本実施例に係る電話機の不揮発性ＲＡＭの用件データの構成を示す図である。
【図５】本実施例に係る電話機の操作部の構成を示す外観図である。
【図６】本実施例に係る電話機におけるスケジュール機能の用件登録画面例を示す図である。
【図７】本実施例に係る電話機におけるスケジュール機能のリマインダ画面例を示す図である。
【図８】本実施例に係る電話機におけるスケジュール機能の再設定画面例を示す図である。
【図９】本実施例に係る電話機においてスケジューラ機能を起動して用件データを入力する処理を示すフローチャートである。
【図１０】本実施例に係る電話機においてスケジューラ機能を起動して用件の通知及びリマインダ表示、再設定画面表示などの処理を実行する処理を示すフローチャートである。
【図１】
2005079840.tif 000003
【図２】
2005079840.tif 000004
【図３】
2005079840.tif 000005
【図４】
2005079840.tif 000006
【図５】
2005079840.tif 000007
【図６】
2005079840.tif 000008
【図７】
2005079840.tif 000009
【図８】
2005079840.tif 000010
【図９】
2005079840.tif 000011
【図１０】
2005079840.tif 000012